(57)【要約】【課題】光源をシャーシなどに組み付ける工程において破損を防止できる光源ホルダ、この光源ホルダを用いた光源の組み付け構造、光源ユニットおよび表示装置を提供すること。【解決手段】蛍光管２１に装着してこの蛍光管２１を光源ユニット２ａのシャーシ２２に保持する光源ホルダ１１ａ，１２ａの各面のうち、シャーシ２２に対向する側を平面状に形成し、この平面状の部分１１１ａ，１２１ａに接着剤または粘着剤の層１１４を設け、この接着剤または粘着剤の層１１４によって光源ホルダ１１ａ，１２ａをシャーシ２２ａに接着または粘着させることにより、蛍光管２１をシャーシ２２ａに保持させる。【選択図】図２
2008021541.tif 000002
【特許請求の範囲】
【請求項１】
表示装置用の光源ユニットのシャーシに光源を保持する光源の保持構造であって、光源に装着される光源ホルダが光源ユニットのシャーシに接触して保持されることを特徴とする光源の保持構造。
【請求項２】
前記光源ホルダの前記シャーシに対向する側の面は平面に形成され、該面が前記シャーシに接触して保持されることを特徴とする請求項１に記載の光源の保持構造。
【請求項３】
前記光源ホルダの前記シャーシに対向する側の面は前記シャーシに接着されることを特徴とする請求項２に記載の光源の保持構造。
【請求項４】
前記光源ホルダの前記シャーシに対向する側の面は前記シャーシに粘着することを特徴とする請求項２に記載の光源の保持構造。
【請求項５】
前記光源ホルダの前記シャーシに対向する側の面は前記シャーシに圧着されることを特徴とする請求項２に記載の光源の保持構造。
【請求項６】
前記光源ホルダの前記シャーシに対向する側の面には吸着手段が設けられ、前記光源ホルダは前記吸着手段により前記シャーシに吸着することを特徴とする請求項１に記載の光源の保持構造。
【請求項７】
光源に装着して該光源を表示装置用の光源ユニットのシャーシに保持する光源ホルダであって、シャーシに対向する側の面には接着手段が設けられることを特徴とする光源ホルダ。
【請求項８】
光源に装着して該光源を表示装置用の光源ユニットのシャーシに保持する光源ホルダであって、シャーシに対向する側の面には粘着手段が設けられることを特徴とする光源ホルダ。
【請求項９】
光源に装着して該光源を表示装置用の光源ユニットのシャーシに保持する光源ホルダであって、前記シャーシに対向する側の面には前記シャーシに吸着可能な吸着手段が設けられることを特徴とする光源ホルダ。
【請求項１０】
光源ユニットのシャーシであって、光源に装着される光源ホルダを接着する接着手段が設けられることを特徴とする光源ユニットのシャーシ。
【請求項１１】
光源ユニットのシャーシであって、光源に装着される光源ホルダを粘着する粘着手段が設けられることを特徴とする光源ユニットのシャーシ。
【請求項１２】
請求項１から請求項６のいずれかに記載の光源の保持構造、請求項７から請求項９のいずれかに記載の光源ホルダまたは請求項１０もしくは請求項１１に記載の光源ユニットのシャーシを備えることを特徴とする光源ユニット。
【請求項１３】
請求項１２に記載の光源ユニットを備えることを特徴とする表示装置。
【発明の詳細な説明】
【技術分野】
【０００１】
本発明は、光源ホルダ、シャーシ、光源の保持構造、光源ユニットおよび表示装置に関するものであり、詳しくは、表示装置または表示装置用の光源ユニットに組み込まれる光源に適用できる光源ホルダ、シャーシ、この光源ホルダまたはシャーシを用いた光源の保持構造、表示装置用の光源ユニットおよび表示装置に関するものである。
【背景技術】
【０００２】
透過型の液晶パネルなどといった非自発光型の表示パネルを備える表示装置には、表示パネルの背面側に光源が配設される構成、または光源が組み込まれた光源ユニットが配設される構成を備えるものがある。このような表示装置または表示装置用の光源ユニットに組み込まれる光源としては、種々の光源が適用されるが、たとえば直線形状やＵ字形状の蛍光管が広く用いられている。
【０００３】
図１１（ａ）は、複数の蛍光管が組み込まれた表示装置用の光源ユニットの構造の従来例を、模式的に示した分解斜視図である。図１１（ａ）に示すようにこの表示装置用の光源ユニット９は、シャーシ９１と、複数の蛍光管９２と、その他の所定の部材とを備える。各蛍光管９２の端部には、たとえば光源ホルダと称する弾性材料からなるブロック状の部材９３が装着される。また、シャーシ９１の端縁近傍には、この光源ホルダ９３を係止可能な複数の開口部９１１が、所定の間隔をおいて形成される。そして各光源ホルダ９３を、シャーシ９１の端縁近傍に形成される各開口部９１１に係止させることにより、蛍光管９２をシャーシ９１に保持することができる。
【０００４】
光源ホルダ９３のシャーシ９１への具体的な係止構造は次のとおりである。図１１（ｂ）は、光源ホルダ９３およびシャーシ９１の端縁近傍を、図１１（ａ）とは上下逆の向きから見た斜視図である。図１１（ｂ）に示すように、光源ホルダ９３のシャーシ９１に対向する面には係止片９３１が設けられる。この係止片９３１は先細り形状を有し、基端部には細くくびれた部分が形成される。
【０００５】
このような構成の光源ホルダ９３をシャーシに組み付けるには、まず光源ホルダ９３の係止片９３１の先端をシャーシ９１に形成される開口部９１１に挿通し、係止片９３１の先端側をシャーシ９１の反対面側に突出させる。そして突出した係止片９３１の先端側をシャーシ９１の反対面側から引っ張り、係止片９３１を弾性変形させてシャーシ９１に形成される開口部９１１を通過させる。そして係止片９３１の基端部のくびれた部分を、シャーシ９１に形成される開口部９１１の端縁に係止させる。これにより、光源ホルダが９３シャーシ９１に脱落困難に係止する。
【０００６】
しかしながらこのような構成では、係止片９３１の先端を引っ張る際の力の加え方によっては、係止片９３１が光源ホルダ９３の本体からちぎれるなど、光源ホルダ９３が破損するおそれがある。また、蛍光管９２の組み付け作業において、光源ホルダ９３の係止片９３１の先端をシャーシ９１に形成される開口部９１１に挿通し、その後反対面側から引っ張るという作業を繰り返す必要がある。このため、蛍光管９２の組み付けに手間を要する。
【０００７】
また、表示装置または表示装置用の光源ユニット９に組み込む蛍光管９２の数や配設の間隔は、表示装置または光源ユニット９の機種によって異なることがある。シャーシ９１に開口部９１１を形成する構成においては、組み付けることができる蛍光管９２の数や間隔は、この開口部９１１の数や形成される間隔によって規定される。このため、機種ごとに異なるシャーシ９１を用いる必要があり、シャーシ９１の共通化を図ることが困難である。また、同一機種であっても、改良などの設計変更によって、配設する蛍光管９２の数や配設の間隔を変更したい場合がある。このような場合には、シャーシ９１の設計変更も必要となるため、設計変更に要する費用が高くなる。
【０００８】
【特許文献１】特開平１０−１３−１０号公報
【発明の開示】
【発明が解決しようとする課題】
【０００９】
上記実情に鑑み本発明は、光源をシャーシなどに組み付ける工程において破損を防止できる光源ホルダ、この光源ホルダを用いた光源の組み付け構造、光源ユニットおよび表示装置を提供すること、または光源の組み付けが容易な光源ホルダ、この光源ホルダを用いた光源の組み付け構造、光源ユニットおよび表示装置を提供すること、または光源の配設の数および／もしくは配設の間隔の変更が容易な光源ホルダ、この光源ホルダを用いた光源の組み付け構造、光源ユニットおよび表示装置を提供することである。
【課題を解決するための手段】
【００１０】
前記課題を解決するため、本発明は、光源に装着される光源ホルダを光源ユニットのシャーシに接触して保持することを要旨とするものである。この光源ホルダの前記シャーシに対向する側の面を平面に形成し、この面を前記シャーシに接触して保持する構成とすることが好ましい。接触して保持する構成としては、たとえば、光源ホルダをシャーシに接着する構成、粘着させる構成、圧着する構成が挙げられる。また、光源ホルダの前記シャーシに対向する側の面に吸着手段を設け、この吸着手段によって光源ホルダをシャーシに吸着させる構成であってもよい。
【００１１】
また、光源ホルダをシャーシに接着するための接着手段、粘着するための粘着手段は、光源ホルダに設けられる構成であってもよく、シャーシに設けられる構成であってもよい。
【発明の効果】
【００１２】
本発明によれば、光源をシャーシなどに組み付ける工程において、光源ホルダをシャーシに粘着または吸着させるだけでよい。したがって、組み付け作業の内容が簡単になる。また、光源の組み付け工程において光源ホルダの破損を防止することができる。また、光源の配設の数および／もしくは配設の間隔の変更が容易となる。
【発明を実施するための最良の形態】
【００１３】
以下に、本発明の実施形態について、図面を参照して詳細に説明する。
【００１４】
図１は、本発明の第一実施形態にかかる光源ホルダの構成を、模式的に示した外観斜視図である。この図１は、第一実施形態にかかる光源ホルダ１１ａ，１１ｂが、直線形状を有する蛍光管２１の端部に装着された状態を示す。第一実施形態においては、電気的に直列に接続された二本の蛍光管２１に適用する構成を示す。すなわち図１に示すように、二本の蛍光管２１の一端どうしがハーネス２１１により電気的に接続され、他端から引き出されるハーネス２１２にはコネクタ２１３が装着され、外部から電力の供給を受けることができる。そして、各蛍光管２１の各端部には光源ホルダ１１ａ，１２ａが装着される。
【００１５】
なお、図１（ａ）中の上方が光源ユニットのシャーシ（図示せず）が配設される側であり、下方が表示パネル（図示せず）が配設される側である。以下、説明の便宜上、蛍光管２１どうしが電気的に接続される側の端部に装着される光源ホルダ１１ａを「中間側光源ホルダ」と称し、反対側端部に装着される光源ホルダ１２ａを「外部側光源ホルダ」と称する。また、光源ホルダ１１ａ，１２ａのシャーシに対向する側を「底面側」と称し、その反対側を「上面側」と称し、それ以外を「側面側」と称する。
【００１６】
中間側光源ホルダ１１ａおよび外部側光源ホルダ１２ａはブロック状の部材であり、それぞれ底面側には略平面状の部分１１１ａ，１２１ａが形成される。この略平面状の部分１１１ａ，１２１ａの表面には、接着手段としての接着剤の層１１４または粘着手段としての粘着剤の層１１４が設けられる。接着剤には公知の各種接着剤が適用できる。また粘着剤としては、両面テープなどの公知の各種粘着シート、膠（ニカワ）、蝋（ワックス）などが適用できる。
【００１７】
そして内部には蛍光管の端部および蛍光管の端部から引き出されるハーネスを収納できるように、内部に空洞が形成される（換言すると、全体として中空状に形成される）。中間側光源ホルダ１１ａおよび外部側光源ホルダ１２ａは、弾性変形可能な材料により形成される。具体的にはたとえば合成ゴムや天然ゴムなどの各種ゴム、合成樹脂などにより形成される。
【００１８】
図１（ｂ）は、中間側光源ホルダ１１ａを図１（ａ）とは上下反対の向きから見た斜視図である。中間側光源ホルダ１１ａの上面には、内部の空洞に連通するスリット１１２が形成される。そして中間側光源ホルダ１１ａを弾性変形させてこのスリット１１２の間隔を広げ、このスリット１１２を通じて内部に形成される空洞部に蛍光管２１の端部および蛍光管２１の端部から引き出されるハーネス２１１を収納する。
【００１９】
外部側光源ホルダ１２ａは、底面側に突起する段差面が形成されており、この段差面と、ある一側面とを連通する貫通孔状の空洞部が形成される。そして蛍光管２１の端部から引き出されるハーネス２１２を、外部側光源ホルダ１１ａの前記ある一側面に形成される開口部に挿入し、底面側の段差面に形成される開口部から引き出す。これにより、外部側光源ホルダ１１ａに、蛍光管２１の端部および蛍光管２１の端部から引き出されるハーネス２１２を収納する。
【００２０】
なお図１においては、中間側光源ホルダ１１ａ、外部側光源ホルダ１２ａともに略Ｌ字形状に形成される構成を示すが、中間側光源ホルダ１１ａ、外部側光源ホルダ１２ａの形状は、図１に示す形状に限定されるものではない。要は、シャーシに対向する側に平面状の部分１１１ａ，１１２ａが設けられる構成であればよい。また、シャーシに対向する側の面がほぼ全面に亘って平面状に形成される構成であってもよい。そしてその他の部分の形状は、収納する蛍光管２１の構成や、ハーネス２１１，２１２を引き出す向きなどに応じて適宜設計すればよい。
【００２１】
次に、本発明の第一実施形態にかかる光源ホルダ１１ａ，１２ａを適用した光源ユニットの構成について説明する。図２は、本発明の第一実施形態にかかる光源ユニット２ａ（以下「第一の光源ユニット」と称することがある）の構成を、模式的に示した分解斜視図である。以下説明の便宜上、図２の上方を光源ユニット２ａの「前面側」と称し、下方を「背面側」と称する。
【００２２】
図２に示すように第一の光源ユニット２ａは、シャーシ２２ａと、反射シート２３と、複数の蛍光管２１と、サイドホルダ２５と、光学シート類２６と、フレーム２７と、光源駆動回路基板２８と、光源駆動回路基板カバー２９とを備える。そして各蛍光管２１の端部には、本発明の第一実施形態にかかる光源ホルダ１１ａ，１２ａが装着される。
【００２３】
前記反射シート２３、蛍光管２１、サイドホルダ２５、光学シート類２６、フレーム２７、光源駆動回路基板２８、光源駆動回路基板カバー２９は、従来公知の一般的な構成のものが適用できる。したがって以下簡単に説明し、詳細な説明は省略する。
【００２４】
シャーシ２２ａは略平板状の部材であり、たとえば金属の板材などによりプレス加工などを用いて形成される。相対向する短辺の周縁部には、蛍光管２１の配設位置を示すマーキング（図略）が設けられることが好ましい。このマーキングの構成は特に限定されるものではなく、要は、蛍光管２１を配設する位置または蛍光管２１の端部に装着された光源ホルダ１１ａ，１２ａを配設する位置が分かるような構成であればよい。
【００２５】
反射シート２３は、蛍光管２１が発する光を乱反射する表面性状を有するシート状または板状の部材である。この反射シート２３は、たとえば発泡ＰＥＴ（ポリエチレンテレフタレート）などにより形成される。
【００２６】
サイドホルダ２５は、後述する光学シート類２６を配設する際のスペーサなどとして機能する部材である。このサイドホルダ２５は略棒状の部材であり、たとえば樹脂材料によって一体に形成される。
【００２７】
光学シート類２６は、蛍光管２１が発する光の特性を調整するシート状の部材もしくは板状の部材、またはこのような部材の集合をいうものとする。光学シート類２６には、たとえば拡散板、拡散シート、偏光反射シート、レンズシートなどが含まれる。そして一般的には、これらが積み重ねられて用いられる。
【００２８】
フレーム２７は、光学シート類２６や後述する表示パネルなどを保持および／または保護する機能などを有する部材である。このフレーム２７は、開口した略四辺形の形状を有し、たとえば樹脂材料などにより一体に形成される構成や、樹脂材料などにより形成された複数の部品を組み合わせる構成、金属の板材によりプレス加工などを用いて形成される構成、金属の板材によりプレス加工などを用いて形成された部品などを組み合わせる構成、などが適用できる。
【００２９】
光源駆動回路基板２８は、蛍光管２１を駆動する電子回路および／または電気回路が構築された回路基板である。光源駆動回路基板カバー２９は、光源駆動回路基板２８を覆う板状の部材であり、たとえば金属の板材などにより形成される。
【００３０】
第一の光源ユニット２ａの組み付け構造は次のとおりである。
【００３１】
シャーシ２２ａの前面側に反射シート２３を配設し、その前面側に本発明の第一実施形態にかかる中間側光源ホルダ１１ａ、外部側光源ホルダ１２ａが装着された蛍光管２１を装着する。中間側光源ホルダ１１ａと外部側光源ホルダ１２ａは、接着剤または粘着剤の層１１４によってシャーシ２２ａの前面側に接着または粘着する。これにより、蛍光管２１がシャーシ２２ａに保持される。なお、蛍光管２１をシャーシ２２ａに配設する際の位置決めは、シャーシ２２ａに設けられるマーキングを基準としておこなえばよい。
【００３２】
蛍光管２１の端部および光源ホルダ１１ａ，１２ａを覆うようにしてサイドホルダ２５を配設する。そしてその前面側に光学シート類２６を配設し、さらにその前面側からフレーム２７を装着する。また、光源駆動回路基板２９をシャーシ２２ａの背面側に配設し、光源駆動回路基板２８と各蛍光管２１とを電気的に接続する。さらに、光源駆動回路基板２８を覆うように光源駆動回路基板カバー２９を装着する。
【００３３】
このような構成によれば、蛍光管２１の組み付けは、中間側光源ホルダ１１ａと外部側光源ホルダ１２ａを接着剤または粘着剤の層１１４によりシャーシ２２ａの前面側に接着または粘着するのみでよいから、組み付け作業が簡単となる。また、係止片が設けられる光源ホルダを用いる場合のように、係止片を引っ張る必要がないことから、光源ホルダを破損することもなくなる。
【００３４】
また、蛍光管２１の数や間隔を自由に変更できるため、蛍光管２１の数や配設の間隔が異なる機種間においても、シャーシ２２ａの共通化を図ることができる。そしてその結果として、部品の共通化による製品価格の低廉化を図ることができる。
【００３５】
また、同一機種において製品改良などのために蛍光管２１の数や間隔を変更する場合であっても、シャーシ２２ａの設計変更の必要がない。したがって、蛍光管２１の数や配設の間隔を容易に変更でき、また、設計変更の際に必要となるコストの低減を図ることができる。
【００３６】
次いで、本発明の第二実施形態にかかる光源ホルダについて説明する。図３は、本発明の第二実施形態にかかる光源ホルダ１１ｂ，１２ｂの構成を模式的に示した外観斜視図であり、直線状の蛍光管２１の端部に装着される状態を示す。第二実施形態も、第一実施形態と同様に、二本の直線形状の蛍光管２１を電気的に直列に接続して用いる構成に適用する。
【００３７】
なお、第二実施形態にかかるホルダ１１ｂ，１２ｂの説明において、「中間側光源ホルダ」、「外部側光源ホルダ」、「底面側」、「上面側」、「側面側」の語は、第一実施形態と同じ意味で用いる。また、以下においては第一実施形態と異なる構成の部分を主に説明する。そして同じ構成の部分については説明を省略し、第一実施形態と同じ符号を付して記す。
【００３８】
中間側光源ホルダ１１ｂ、外部側光源ホルダ１２ｂはブロック状の部材であり、それぞれ底面側には、吸着片１１３，２１４が設けられる。第二実施形態にかかる光源ホルダ１１ｂ，１２ｂは、この吸着片１１３，２１４が設けられる構成を除いては、第一実施形態にかかる光源ホルダ１１ａ，１２ａと同じ構成が適用できる。ただし、底面側に平面状の部分が形成される必要はない。
【００３９】
この吸着片１１３，２１４は、気圧差を利用してシャーシ２２ａに吸着できる構造物であり、たとえば図３に示すように、各光源ホルダ１１ｂ，１２ｂの底面側に吸盤を形成する構成や、各光源ホルダ１１ｂ，１２ｂの底面に非貫通の凹部を設け、この凹部に吸盤としての機能を持たせる構成などが適用できる。なお、吸着片の数や大きさは限定されるものではない。
【００４０】
次に、本発明の第二実施形態にかかる光源ホルダ１１ｂ，１２ｂを用いた光源ユニット２ｂについて説明する。図４は、本発明の第二実施形態にかかる光源ホルダ１１ｂ，１２ｂを用いた光源ユニット２ｂ（以下、「第二の光源ユニット」と称することがある）の構成を、模式的に示した分解斜視図である。また、説明の便宜上、図４の上方を光源ユニット２ｂの「前面側」と称し、下方を「背面側」と称する。
【００４１】
図４に示すように第二の光源ユニット２ｂは、シャーシ２２ａと、反射シート２３と、複数の蛍光管２１と、サイドホルダ２５と、光学シート類２６と、フレーム２７と、光源駆動回路基板２８と、光源駆動回路基板カバー２９とを備える。そして各蛍光管２１の各端部には、本発明の第二実施形態にかかる光源ホルダ１１ｂ，１ｂが装着される。シャーシ２２ａ、反射シート２３、蛍光管２１、サイドホルダ２５、光学シート類２６、フレーム２７、光源駆動回路基板２８、光源駆動回路基板カバー２９は、第一の光源ユニット１ａに適用されるものと同じ構成のものが適用できることから、説明は省略する。
【００４２】
第二の光源ユニット２ｂの組み付け構造は次のとおりである。
【００４３】
シャーシ２２ａの前面側に反射シート２３を配設するとともに、第二実施形態にかかる光源ホルダ１１ｂ，１２ｂが装着された蛍光管２１を配設する。そして吸着片１１３，２１４により、光源ホルダ１１ｂ，１２ｂをシャーシ２２ａの前面側に吸着させる。これにより、蛍光管２１がシャーシ２２ａに保持される。蛍光管２１をシャーシ２２ａの前面側に配設する際の位置決めは、シャーシ２２ａに設けられるマーキングを基準にしておこなえばよい。これ以外の組み付け構造および組み付け操作は、第一の光源ユニット２ａと同じであることから説明は省略する。
【００４４】
そしてこのような構成によれば、第一実施形態にかかる光源ホルダ１１ａ，１２ａと同じ効果を奏することができる。
【００４５】
次に、第三実施形態にかかる光源ホルダについて説明する。第三実施形態にかかる光源ホルダは、シャーシに圧着することができる構成を備える。図５は、第三実施形態にかかる光源ホルダ（中間側光源ホルダ１１ｄ、外部側光源ホルダ１２ｄ）の構成を模式的に示した外観斜視図である。図５（ａ）は第三実施形態にかかる光源ホルダの第一の実施例を示し、図５（ｂ）は第二の実施例を示す。
【００４６】
第三実施形態の第一実施例にかかる光源ホルダ１１ｄ，１２ｄは、ポリテトラフルオロエチレン（ＰＴＦＥ）により形成される。そして第一実施例にかかる光源ホルダ１１ｄ，１２ｄの形状は、第一実施形態にかかる光源ホルダ１１ａ，１２ａとほぼ同じ形状が適用できる。
【００４７】
第三実施形態の第二実施例にかかる光源ホルダ１１ｄ’，１２ｄ’は、背面側（すなわちシャーシに接触する面）に、ポリテトラフルオロエチレン（ＰＴＦＥ）の層１１５が設けられる。それ以外の部分の材質は限定されるものではなく、たとえば合成ゴムや天然ゴムなどの各種ゴム、合成樹脂などが適用できる。また、第三実施例にかかる光源ホルダ１１ｄ’，１２ｄ’の形状は、第一実施形態にかかる光源ホルダ１１ａ，１２ａとほぼ同じ形状が適用できる。
【００４８】
第三実施形態にかかる光源ホルダ１１ｄ，１２ｄ，１１ｄ’，１２ｄ’の形状について簡単に説明すると、中間側光源ホルダ１１ｄ，１１ｄ’および外部側光源ホルダ１２ｄ，１２ｄ’はブロック状に形成される部材であり、それぞれ底面側には略平面状の部分１１１ｄ，１２１ｄが形成される。そして内部には蛍光管２１の端部および蛍光管２１の端部から引き出されるハーネス２１１，２１２を収納できるように、内部に空洞が形成される。要は、シャーシに対向する側に平面状の部分１１１ｄ，１１２ｄが設けられ、少なくとも平面状の部分１１１ｄ，１１２ｄ（正確にはシャーシに接触する部分）がポリテトラフルオロエチレン（ＰＴＦＥ）により形成される構成であればよい。そしてその他の部分の形状は、収納する蛍光管２１の構成や、ハーネス２１１，２１２を引き出す向きなどに応じて適宜設計すればよい。
【００４９】
次に、第三実施形態にかかる光源ホルダ１１ｄ，１１ｄ’，１２ｄ，１２ｄ’を適用した光源ユニットの構成について説明する。図６は、第三実施形態にかかる光源ホルダ１１ｄ，１１ｄ’，１２ｄ，１２ｄ’を適用した光源ユニット２ｃ（以下、「第三の光源ユニット」と称することがある）の要部の構成を模式的に示した分解斜視図である。
【００５０】
なお、第三の光源ユニット２ｃの構成は、第三実施形態にかかる光源ホルダ１１ｄ，１１ｄ’，１２ｄ，１２ｄ’をシャーシ２２ａに保持させる構成を除いては、第一の光源ユニット２ａと同じ構成が適用できる。したがって、共通する構成については同じ符号を付して示し、説明は省略する。
【００５１】
第三実施形態にかかる光源ホルダ１１ｄ，１１ｄ’，１２ｄ，１２ｄ’をシャーシ２２ａに保持させるには、少なくとも光源ホルダ１１ｄ，１１ｄ’，１２ｄ，１２ｄ’とシャーシ２２ａの接触面を加熱しつつ、光源ホルダ１１ｄ，１１ｄ’，１２ｄ，１２ｄ’をシャーシ２２ａに押し付ければよい。このようにすると、第三実施形態にかかる光源ホルダ１１ｄ，１１ｄ’，１２ｄ，１２ｄ’をシャーシ２２ａに保持させることができる。
【００５２】
次に、本発明の第一実施形態にかかるシャーシについて説明する。図７は、本発明の第一実施形態にかかるシャーシ２２ｂの構成を模式的に示した外観斜視図である。図７に示すように、本発明の第一実施形態にかかるシャーシ２２ｂは、たとえば金属の板材などによりプレス加工などを用いて形成される。そして、両短辺近傍には、接着手段としての接着剤の層２２１または粘着手段としての粘着剤の層２２１が設けられる。接着剤には公知の各種接着剤が適用できる。また粘着剤としては、両面テープなどの公知の各種粘着シート、膠（ニカワ）、蝋（ワックス）などが適用できる。なお、接着剤または粘着剤の層２２１が設けられる構成を除いては、前記第一実施形態または第二実施形態にかかる光源ホルダを適用した光源ユニットのシャーシと同じ構成が適用できる。
【００５３】
次に第四実施形態にかかる光源ユニット（以下「第四の光源ユニット」と称することがある）の構成について説明する。図８は、第四実施形態にかかる光源ユニット２ｄの要部の構成を模式的に示した分解斜視図である。第四の光源ユニット２ｄは、前記第一実施形態にかかるシャーシが適用される光源ユニットである。以下説明の便宜上、図８の上方を光源ユニット２ｄの「前面側」と称し、下方を「背面側」と称する。
【００５４】
図８に示すように第四の光源ユニット２ｄは、第二実施形態にかかるシャーシ２２ｂと、反射シート２３と、粘着シート２４と、複数の蛍光管２１と、サイドホルダ２５と、光学シート類２６と、フレーム２７と、光源駆動回路基板２８と、光源駆動回路基板カバー２９とを備える。
【００５５】
各蛍光管２１の端部には、光源ホルダ１１ｃ，１２ｃが装着される。この光源ホルダ１１ｃ，１２ｃは接着手段、粘着手段、吸着手段を有さない。すなわち、前記第一実施形態にかかる光源ホルダ１１ａ，１２ａから接着剤または前着剤の層を除いた構成、または前記第二実施形態にかかる光源ホルダ１１ｂ，１２ｂから吸着手段を除いた構成を有する。
【００５６】
前記反射シート２３、蛍光管２１、サイドホルダ２５、光学シート類２６、フレーム２７、光源駆動回路基板２８、光源駆動回路基板カバー２９は、第一実施形態または第二実施形態にかかる光源ユニットと同様に、従来公知の一般的な構成のものが適用できる。したがって説明は省略する。
【００５７】
第四の光源ユニット２ｄの組み付け構造は次のとおりである。
【００５８】
シャーシ２２ｂの前面側に反射シート２３を配設し、その前面側に本発明の第一実施形態にかかる中間側光源ホルダ１１ａ、外部側光源ホルダ１２ａが装着された蛍光管２１を装着する。中間側光源ホルダ１１ａと外部側光源ホルダ１２ａは、シャーシ２２ｂに設けられる接着剤または粘着剤の層２２１によってシャーシ２２ａの前面側に接着または粘着する。そしてこれにより、蛍光管２１がシャーシ２２に保持される。なお、蛍光管２１をシャーシ２２ｂに配設する際の位置決めは、シャーシ２２ｂに設けられるマーキングを基準としておこなえばよい。
【００５９】
蛍光管２１の端部および光源ホルダ１１ｃ，１２ｃを覆うようにしてサイドホルダ２５を配設する。そしてその前面側に光学シート類２６を配設し、さらにその前面側からフレーム２７を装着する。また、光源駆動回路基板２９をシャーシ２２ｂの背面側に配設し、光源駆動回路基板２８と各蛍光管２１とを電気的に接続する。さらに、光源駆動回路基板２８を覆うように光源駆動回路基板カバー２９を装着する。
【００６０】
このような構成によれば、蛍光管２１の組み付けは、シャーシ２２ｂに設けられる接着剤または粘着剤の層２２１に光源ホルダ１１ｃ，１２ｃを貼り付けるのみでよいことから、組み付け作業が簡単となる。また、係止片が設けられる光源ホルダを用いる場合のように、係止片を引っ張る必要がないことから、光源ホルダを破損することもなくなる。
【００６１】
また、蛍光管２１の数や間隔を自由に変更できるため、蛍光管２１の数や配設の間隔が異なる機種間においても、シャーシ２２ｃの共通化を図ることができる。そしてその結果として、部品の共通化による製品価格の低廉化を図ることができる。
【００６２】
また、同一機種において製品改良などのために蛍光管２１の数や間隔を変更する場合であっても、シャーシ２２ｃの設計変更の必要がない。したがって、蛍光管２１の数や配設の間隔を容易に変更でき、また、設計変更の際に必要となるコストの低減を図ることができる。
【００６３】
次に、第一の光源ユニット２ａ、第二の光源ユニット２ｂ、第三の光源ユニット２ｃ、第四の光源ユニット２ｄのいずれかが適用される表示装置（以下、「本表示装置」と略して記すことがある）について説明する。図９は、本表示装置４の構成を模式的に示した分解斜視図である。図９に示すように本表示装置４は、第一の光源ユニット１ａまたは第二の光源ユニット１ｂと、表示パネル４１と、コントロール回路基板４２と、コントロール回路基板カバー４３と、ベゼル４４とを備える。
【００６４】
表示パネル４１には、公知の各種透過型の表示パネルが適用できる。たとえばアクティブマトリックスタイプの液晶パネルなどが適用できる。
【００６５】
ベゼル４４は、表示パネル４１を保護および／または保持するなどの機能を有する部材である。このベゼル４４は、開口した略四辺形の形状を有する。たとえば樹脂材料により一体に形成される構成、樹脂材料などにより形成された部品を組み合わせる構成、金属の板材によりプレス加工などを用いて形成される構成、金属の板材によりプレス加工などを用いて形成された部材を組み合わせる構成、などが適用できる。
【００６６】
コントロール回路基板４２は、外部から入力された画像信号に基づいて表示パネル４１を制御する信号を生成する電子回路および／または電気回路が構築される回路基板である。コントロール回路基板カバー４３は、コントロール回路基板４２を覆う部材であり、たとえば金属の板材などにより形成される。
【００６７】
本表示装置４の組み付け構造は次のとおりである。図９に示すように、第一の光源ユニット１ａまたは第二の光源ユニット１ｂのフレーム２７の前面側に、表示パネル４１を配設する。また、第一の光源ユニット１ａまたは第二の光源ユニット１ｂのシャーシ２２の背面側に、コントロール回路基板４２を配設する。そして、コントロール回路基板４２と表示パネル４１に装着される回路基板などとを電気的に接続する。そして表示パネル４１の前面側にベゼル４４を装着し、コントロール回路基板４２を覆うようにコントロール回路基板カバー４３を装着する。
【００６８】
次に本表示装置４を備えるテレビ受信機について説明する。図１０は、本表示装置４を備えるテレビ受信機５の構成を、模式的に示した分解斜視図である。図１０に示すようにこのテレビ受信機５は、本表示装置４と、チューナ５１と、拡声手段５３と、電源５２と、キャビネット５４１，５４２と、支持部材５５とを備える。なお、チューナ５１、拡声手段５３、電源５２、キャビネット５４１，５４２、支持部材５５は、従来一般に用いられるものが適用できるから、それぞれ簡単に説明し、詳細な説明は省略する。
【００６９】
チューナ５１は、受信した電波から所定のチャンネルの画像信号と音声信号とを生成する。このチューナ５１には、従来一般の地上波チューナ（アナログ地上波用のチューナ、デジタル地上波用のチューナ、またはこれら双方）ＢＳチューナ、ＣＳチューナなどが適用できる。拡声手段５３は、チューナ５１が生成した音声信号に基づいて音声を発する。この拡声手段５３には、一般的なスピーカなどが適用できる。電源５２は、本表示装置４、チューナ５１、拡声手段５３に対して電力を供給することができる。
【００７０】
そして、本表示装置４、チューナ５１、拡声手段５３、電源５２が、キャビネット５４１，５４２に収納され、支持部材５５により支持される。図１０においては、キャビネットは前面側キャビネット５４１と背面側キャビネット５４２からなり、これらの間に本表示装置４、チューナ、拡声手段、電源が収納される。このほか、チューナ５１、拡声手段５３、電源５２が、表示装置４に組み付けられる構成であっても良い。
【００７１】
以上、本発明の実施形態について詳細に説明したが、本発明は前記実施形態に何ら限定されるものではなく、本発明の趣旨を逸脱しない範囲で種々の改変が可能である。
【００７２】
たとえば、前記各実施形態においては、光源として蛍光管を適用する構成を示したが、光源の種類は蛍光管に限定されるものではない。たとえば、キセノン管などの放電管や、線光源化したＬＥＤなどであっても適用できる。
【図面の簡単な説明】
【００７３】
【図１】本発明の第一実施形態にかかる光源ホルダの構成を模式的に示した外観斜視図であり、（ａ）はシャーシに装着する側から見た図、（ｂ）はその反対側から見た図である。
【図２】前記第一実施形態にかかる光源ホルダが適用される光源ユニットの構成を模式的に示した分解斜視図である。
【図３】本発明の第二実施形態にかかる光源ホルダの構成を模式的に示した外観斜視図である。
【図４】前記第二実施形態にかかる光源ホルダが適用される光源ユニットの構成を模式的に示した分解斜視図である。
【図５】本発明の第三実施形態にかかる光源ホルダの構成を模式的に示した外観斜視図であり、（ａ）は第一実施例、（ｂ）は第二実施例を示す。
【図６】前記第三実施形態にかかる光源ホルダが適用される光源ユニットの構成を模式的に示した分解斜視図である。
【図７】本発明の第一実施形態にかかるシャーシの構成を模式的に示した外観斜視図である。
【図８】前記シャーシが適用される光源ユニットの構成を模式的に示した分解斜視図である。
【図９】前記いずれかの光源ユニットが適用される表示装置の構成を模式的に示した分解斜視図である。
【図１０】前記表示装置が適用されるテレビ受信機の構成を模式的に示した分解斜視図である。
【図１１】（ａ）は、表示装置用の光源ユニットの構成の従来例を模式的に示した分解斜視図であり、（ｂ）は光源の保持構造を拡大して示した模式図である。
【符号の説明】
【００７４】
１１ａ  中間側光源ホルダ
１１１ａ  平面状の部分
１１２  スリット
１１３  吸着片
１２ａ  外部側光源ホルダ
１２１ａ  平面状の部分
２ａ  光源ユニット
２１  蛍光管
２１１  中間側のハーネス
２１２  外部側のハーネス
２１３  コネクタ
２１４  吸着片
２２  シャーシ
２３  反射シート
２５  サイドホルダ
２６  光学シート類
２７  フレーム
２８  光源駆動回路基板
２９  光源駆動回路基板カバー
【図１】
2008021541.tif 000003
【図２】
2008021541.tif 000004
【図３】
2008021541.tif 000005
【図４】
2008021541.tif 000006
【図５】
2008021541.tif 000007
【図６】
2008021541.tif 000008
【図７】
2008021541.tif 000009
【図８】
2008021541.tif 000010
【図９】
2008021541.tif 000011
【図１０】
2008021541.tif 000012
【図１１】
2008021541.tif 000013